(57)【要約】【課題】製造コストの低減を図りつつ、シャッタ部材をスムーズに開閉させ得るディスクカートリッジを提供する。【解決手段】下シェル３ａおよび上シェルを備えたカートリッジ本体２と、ディスクトレイ５と、単一のシャッタ部材４とを備え、ディスクトレイ５は、光ディスク１０に対するディスクアクセスを可能とする開口部４２が形成されて、ディスクアクセスを規制する規制状態では開口部１２の一部を閉塞し、ディスクアクセスの状態ではカートリッジ本体２内で回動させられてシャッタ部材４をスライドさせると共に開口部１２の一部を開口可能に構成され、シャッタ部材４は、規制状態では開口部１２における他の一部を閉塞することによってディスクトレイ５と相俟って開口部１２を閉塞し、ディスクアクセスの状態ではディスクトレイ５によってスライドさせられて他の一部を開口する。【選択図】        図１３
2004253014.tif 000002
【特許請求の範囲】
【請求項１】
収容状態のディスク状記録媒体に対するディスクアクセスを可能とする第１開口部が形成された下シェル、および上シェルを備えて構成されたカートリッジ本体と、前記ディスク状記録媒体を載置可能に形成されて前記カートリッジ本体内に回動可能に配設されたディスクトレイと、前記下シェルおよび前記ディスクトレイの間に配設された単一のシャッタ部材とを備え、
前記ディスクトレイは、前記第１開口部と当該ディスクカートリッジの厚み方向において重ね合わされることによって前記ディスク状記録媒体に対するディスクアクセスを可能とする第２開口部が形成されて、前記ディスクアクセスを規制する規制状態では当該第１開口部の一部を閉塞し、前記ディスクアクセスの状態では前記カートリッジ本体内で回動させられて前記シャッタ部材をスライドさせると共に前記第１開口部の前記一部を開口可能に構成され、
前記シャッタ部材は、前記規制状態では前記第１開口部における他の一部を閉塞することによって前記ディスクトレイと相俟って当該第１開口部を閉塞し、前記ディスクアクセスの状態では前記ディスクトレイによってスライドさせられることによって前記他の一部を開口可能に構成されているディスクカートリッジ。
【請求項２】
前記シャッタ部材は、回動可能にその一端部が前記下シェルに軸支されると共に案内溝およびピン部材のいずれか一方が形成されて構成され、
前記ディスクトレイは、前記案内溝および前記ピン部材のいずれか他方が形成されると共に、前記ディスクアクセスの際に回動させられて前記案内溝によって前記ピン部材が案内されることで前記一端部を中心とする円弧状の軌跡で回動させて前記シャッタ部材をスライド可能に構成されている請求項１記載のディスクカートリッジ。
【請求項３】
前記シャッタ部材は、前記第１開口部を閉塞する閉塞位置において前記ディスク状記録媒体を保持するために当該ディスク状記録媒体の外縁部に当接すると共に前記第１開口部を開口する開口位置において前記ディスク状記録媒体に対する前記当接を解除するディスク保持部を備えて構成されている請求項１または２記載のディスクカートリッジ。
【請求項４】
前記上シェルは、前記カートリッジ本体に対する前記ディスク状記録媒体の取り外しおよび収納を可能にする略円形状のディスク入出口が形成されて構成され、
前記シャッタ部材は、前記第１開口部を閉塞する閉塞位置において前記ディスク状記録媒体の中心孔に対向する部位に当該中心孔よりも大径の孔が形成されている請求項１から３のいずれかに記載のディスクカートリッジ。
【発明の詳細な説明】
【０００１】
【発明の属する技術分野】
本発明は、下シェルおよび上シェルを備えて構成されたカートリッジ本体内にディスク状記録媒体が収容されるディスクカートリッジに関するものである。
【０００２】
【従来の技術】
この種のディスクカートリッジとして、上シェル（１３）、中シェル（１４）および下シェル（１５）からなるカートリッジ筐体（１２）内に光ディスク（１１）が収容されたディスクカートリッジ（１０）が特開２００２−５０１４７号公報に開示されている。この場合、中シェルは、全体として円板状に形成されると共に、その周面（リング部１４ｂ）には、記録再生装置のシャッタ開閉手段が噛合可能なギア等からなる被操作部（４３）が形成されている。また、中シェルは、上シェルおよび下シェルによって形成される箱体内に回動可能に収容されている。また、中シェルおよび下シェルには、収容状態の光ディスクに対する記録データの記録および再生（ディスクアクセス）を可能とする開口部（４２，２５）が形成されて、この開口部が一対のシャッタ部材（１８ａ，１８ｂ）によって開閉される。この場合、シャッタ部材は、全体として薄板状に形成されると共に、中シェルの支持孔（４９）に挿通させられる軸部（５２）と、下シェルの操作凸部（２７ａ，２７ｂ）が挿通させられる開閉溝（５３）とが形成されて構成されている。また、シャッタ部材は、下シェルに対して中シェルが回動させられることで中シェルによってスライドさせられて、下シェルおよび中シェルの開口部（２５，４２）を開閉する。
【０００３】
このディスクカートリッジでは、常態において、下シェルの開口部が一対のシャッタ部材と中シェルとによって閉塞されている。また、このディスクカートリッジが記録再生装置に装填された際には、記録再生装置のシャッタ開閉手段によって中シェルが回動させられる。この際には、下シェルの開口部と中シェルの開口部とがディスクカートリッジの厚み方向で重ね合わされると共に、シャッタ部材が中シェルの回動に伴って互いに離間する方向にスライドさせられる。この結果、下シェルの開口部が開口されて、ディスクカートリッジ内の光ディスクに対するディスクアクセスが可能な状態となる。一方、ディスクカートリッジを記録再生装置から取り出す際には、記録再生装置のシャッタ開閉手段によって中シェルが装填時とは逆向きに回動させられる。この際に、下シェルおよび中シェルの両開口部の重なり合いが解除されると共に、シャッタ部材が中シェルの回動に伴って互いに接近する方向にスライドさせられて開口部が閉塞される。以上により、光ディスクに対するディスクアクセスの要否に応じて開口部が開口または閉塞される。
【０００４】
【特許文献１】
特開２００２−５０１４７号公報（第３−１１頁）
【０００５】
【発明が解決しようとする課題】
ところが、従来のディスクカートリッジには、以下の問題点がある。すなわち、このディスクカートリッジでは、記録再生装置のシャッタ開閉手段によって中シェルが回動させられることより、中シェルが下シェルに対して一対のシャッタ部材をスライドさせて開口部を開口または閉塞させている。この場合、中シェルが回動させられた際には、両シャッタ部材の軸部が中シェルの支持孔内で回動させられると共に、下シェルの操作凸部が両シャッタ部材の開閉溝内を相対的にスライドさせられる。したがって、両シャッタ部材の開閉に際しては、中シェルにおける支持孔の口縁部とシャッタ部材における軸部の周面との間の摺動抵抗、およびシャッタ部材における開閉溝の口縁部と下シェルにおける操作凸部の周面との間の摺動抵抗などに起因して、中シェルの回動（すなわち、シャッタ部材の開閉）に大きな力を必要とする。このため、従来のディスクカートリッジには、シャッタ部材のスムーズな開閉動作が困難であるという問題点が存在する。また、カートリッジ筐体内に２枚のシャッタ部材を配設しているため、従来のディスクカートリッジには、ディスクカートリッジの組み立てが煩雑な結果、製造コストが高騰しているという問題点もある。
【０００６】
本発明は、かかる問題点に鑑みてなされたものであり、製造コストの低減を図りつつ、シャッタ部材をスムーズに開閉させ得るディスクカートリッジを提供することを主目的とする。
【０００７】
【課題を解決するための手段】
上記目的を達成すべく本発明に係るディスクカートリッジは、収容状態のディスク状記録媒体に対するディスクアクセスを可能とする第１開口部が形成された下シェル、および上シェルを備えて構成されたカートリッジ本体と、前記ディスク状記録媒体を載置可能に形成されて前記カートリッジ本体内に回動可能に配設されたディスクトレイと、前記下シェルおよび前記ディスクトレイの間に配設された単一のシャッタ部材とを備え、前記ディスクトレイは、前記第１開口部と当該ディスクカートリッジの厚み方向において重ね合わされることによって前記ディスク状記録媒体に対するディスクアクセスを可能とする第２開口部が形成されて、前記ディスクアクセスを規制する規制状態では当該第１開口部の一部を閉塞し、前記ディスクアクセスの状態では前記カートリッジ本体内で回動させられて前記シャッタ部材をスライドさせると共に前記第１開口部の前記一部を開口可能に構成され、前記シャッタ部材は、前記規制状態では前記第１開口部における他の一部を閉塞することによって前記ディスクトレイと相俟って当該第１開口部を閉塞し、前記ディスクアクセスの状態では前記ディスクトレイによってスライドさせられることによって前記他の一部を開口可能に構成されている。
【０００８】
この場合、前記シャッタ部材は、回動可能にその一端部が前記下シェルに軸支されると共に案内溝およびピン部材のいずれか一方が形成されて構成され、前記ディスクトレイは、前記案内溝および前記ピン部材のいずれか他方が形成されると共に、前記ディスクアクセスの際に回動させられて前記案内溝によって前記ピン部材が案内されることで前記一端部を中心とする円弧状の軌跡で回動させて前記シャッタ部材をスライド可能に構成されているのが好ましい。
【０００９】
また、前記シャッタ部材は、前記第１開口部を閉塞する閉塞位置において前記ディスク状記録媒体を保持するために当該ディスク状記録媒体の外縁部に当接すると共に前記第１開口部を開口する開口位置において前記ディスク状記録媒体に対する前記当接を解除するディスク保持部を備えて構成されているのが好ましい。
【００１０】
さらに、前記上シェルは、前記カートリッジ本体に対する前記ディスク状記録媒体の取り外しおよび収納を可能にする略円形状のディスク入出口が形成されて構成され、前記シャッタ部材は、前記第１開口部を閉塞する閉塞位置において前記ディスク状記録媒体の中心孔に対向する部位に当該中心孔よりも大径の孔が形成されているのが好ましい。
【００１１】
【発明の実施の形態】
以下、添付図面を参照して、本発明に係るディスクカートリッジの好適な実施の形態について説明する。
【００１２】
最初に、ディスクカートリッジ１の構成について、図面を参照して説明する。
【００１３】
図１，２に示すディスクカートリッジ１は、光ディスク１０を取り出し可能に収容したカートリッジ式の記録媒体であって、カートリッジ本体２、単一のシャッタ部材４、ディスクトレイ５および上動規制板６を備えると共に、図１１にそれぞれ示す保持片７、回動規制部材８および誤消去防止部材９を備えて構成されている。なお、図２および後に参照する図４，６，８，１０では、本発明についての理解を容易とするために、厚み方向のサイズを誇張して大きく図示している。光ディスク１０は、一例として、片面追記型のディスク状記録媒体であって、図１，２に示すように、その中心部には、記録再生装置（本発明におけるディスクドライブの一例）にチャッキングさせるための直径１５ｍｍ程度の中心孔１０ａが形成されている。一方、図２に示すように、カートリッジ本体２は、互いに嵌合可能に形成された下シェル３ａおよび上シェル３ｂを備えている。
【００１４】
下シェル３ａは、図３，４に示すように、開口部１２（本発明における第１開口部）が形成された底板１１ａと、底板１１ａの外縁部に立設されてディスクカートリッジ１の側面部分を構成する側壁１１ｂとで浅皿状に形成されている。この場合、開口部１２は、記録データの記録再生時にカートリッジ本体２内に収容されている光ディスク１０に対するディスクアクセス（記録再生装置によるチャッキングや、ピックアップによるレーザービームの照射等）を可能とする孔であって、光ディスク１０の中心部から外縁部までを露出可能な大きさに形成されている。また、底板１１ａには、シャッタ部材４の移動範囲に相当する部位を薄肉に形成して凹部１３が形成され、この凹部１３には、シャッタ部材４を回動可能に軸支するための凸部１４が立設されている。また、底板１１ａには、シャッタ部材４と相俟って光ディスク１０を保持する保持片７を取り付けるための凹部１５が形成されている。
【００１５】
上シェル３ｂは、図５，６に示すように、略円形状の開口部２２（本発明におけるディスク入出口）が形成された天板２１ａと、天板２１ａの外縁部に立設されて下シェル３ａの側壁１１ｂと相俟ってディスクカートリッジ１の側面部分を構成する側壁２１ｂと、開口部２２の口縁部に立設された隔壁２３とを備えて構成されている。この場合、開口部２２は、カートリッジ本体２内に収容された光ディスク１０のカートリッジ本体２外への取り出し、およびカートリッジ本体２内への収容を可能とする孔であって、その一部において天板２１ａを内側に突出形成することで、カートリッジ本体２に収容されている光ディスク１０の上動を規制するための上動規制部２４が形成されている。また、天板２１ａには、上動規制部２４と相俟って光ディスク１０の上動を規制する上動規制板６を取り付けるための鍔部２５ａ，２５ａを有する取付部２５が形成されている。さらに、隔壁２３には、保持片７、およびシャッタ部材４の保持部３５（図７，８参照）を隔壁２３の内側に進入可能とするための切り欠き２３ａ，２３ｂが形成されている。
【００１６】
シャッタ部材４は、図７，８に示すように、その一端部に下シェル３ａの凸部１４が挿通可能な孔３２が形成された平板状のシャッタ本体３１と、光ディスク１０の外縁部に当接して保持片７と相俟って光ディスク１０を保持するディスク保持部（以下、「保持部」ともいう）３５とを備えて構成され、図２に示すように、下シェル３ａとディスクトレイ５との間に挟み込まれるようにしてカートリッジ本体２内に配設されている。この場合、シャッタ本体３１には、ディスクトレイ５の下面に立設された凸部４６（図９参照）が挿通可能なスリット３３（本発明における案内溝）が形成されている。また、シャッタ本体３１には、後述する閉塞位置にシャッタ部材４が位置させられた状態において光ディスク１０の中心孔１０ａと対向する部位に、中心孔１０ａよりも大径の（一例として直径１７ｍｍ）孔３４が形成されている。
【００１７】
ディスクトレイ５は、図９，１０に示すように、下シェル３ａの開口部１２とほぼ同形状の開口部４２（本発明における第２開口部）が形成された円板状の底板４１と、底板４１の外縁部に立設された側壁４３とで光ディスク１０を載置可能な浅皿状に形成されている。このディスクトレイ５は、図２に示すように、光ディスク１０と共にカートリッジ本体２内に回動可能に収容されている。この場合、図９に示すように、底板４１の下面には、シャッタ部材４のスリット３３に挿通させられる凸部４６（本発明におけるピン部材）が立設されている。また、側壁４３には、記録再生装置におけるシャッタ開閉手段（図示せず）が噛合可能な噛合用凹部４４ａ，４４ｂおよび噛合用凸部４５，４５・・が形成されている。さらに、図９，１０に示すように、側壁４３には、上シェル３ｂの隔壁２３に形成された切り欠き２３ａ，２３ｂに対してディスクカートリッジ１の平面方向において重なり合うようにして、切り欠き２３ａ，２３ｂ内に進入させられた保持片７、およびシャッタ部材４の保持部３５をディスクトレイ５上の光ディスク１０における外縁部に当接可能とするための切り欠き４３ａ，４３ｂが形成されている。
【００１８】
上動規制板６は、図２に示すように、上シェル３ｂに取り付けた状態においてその表面が天板２１ａの表面と面一となるように平板状に形成されている。また、図１１，１２に示すように、上動規制板６は、その両側部に上シェル３ｂに取り付けるためのフランジ５１，５１が形成されると共に、上シェル３ｂに対してスライドさせられた際に下シェル３ａの側壁１１ｂにおける内面に当接して上動規制板６のスライドを停止させるストッパ５２，５２が立設されている。この上動規制板６は、図１に示すように、その一辺（一端面）が上シェル３ｂにおける開口部２２の内側に突出するように位置させられることにより、上動規制部２４と相俟ってカートリッジ本体２に収容されている状態の光ディスク１０の上動を規制する。保持片７は、図１１に示すように、下シェル３ａに取り付けるための柱状部６２が立設された主板６１に、光ディスク１０の外縁部に当接する保持板６３が立設されている。この保持片７は、その柱状部６２が下シェル３ａの凹部１５に回動可能に取り付けられて主板６１および保持板６３がスプリングＳ１によって図１４に示す矢印Ｌ２の向きに付勢されている。この場合、保持片７は、光ディスク１０に対するディスクアクセスを規制する常態（規制状態）においてはディスクトレイ５の切り欠き４３ａ内（図１０参照）に進入させられて保持板６３が光ディスク１０の外縁部に当接させられることにより、光ディスク１０をカートリッジ本体２内に保持する。また、後述するように、ディスクトレイ５の回動時には、主板６１にディスクトレイ５の側壁４３が当接することによって図１３に示す矢印Ｌ１の向きに回動させられて、保持板６３による光ディスク１０の保持を解除する。
【００１９】
回動規制部材８は、図１１に示すように、下シェル３ａに対して回動可能に取り付けるための柱状部６５と、ディスクトレイ５の噛合用凹部４４ｂに係合することによってディスクトレイ５の回動を規制するための爪部６６と、ディスクカートリッジ１が記録再生装置に装填された際にシャッタ開閉手段が当接させられる当接部６７とを備えて構成されている。この回動規制部材８は、図１３に示すように、スプリングＳ２によって爪部６６がディスクトレイ５の噛合用凹部４４ｂに係合する向きに付勢されてディスクトレイ５の回動を規制する。また、ディスクカートリッジ１が記録再生装置に装填された際には、シャッタ開閉手段が当接部６７に当接することによって柱状部６５を中心として爪部６６が側壁４３から離間する向きに回動させられてディスクトレイ５に対する回動の規制を解除する。誤消去防止部材９は、図１３に示すように、カートリッジ本体２に取り付けられて、ディスクカートリッジ１に対する記録データの記録（または、記録データの消去）を可能とする解除位置と、記録データの記録（または、記録データの消去）を規制する規制位置との間でスライドさせられる。
【００２０】
次に、ディスクカートリッジ１の使用方法について、図面を参照して説明する。
【００２１】
このディスクカートリッジ１では、図１３に示すように、記録再生装置から取り外されている状態において、下シェル３ａの開口部１２が、ディスクトレイ５の底板４１とシャッタ部材４のシャッタ本体３１とによって閉塞されている。具体的には、ディスクトレイ５は、その開口部４２と下シェル３ａの開口部１２とがディスクカートリッジ１の厚み方向において重なり合う位置（以下、この位置を「開口位置」ともいう）から図１３において反時計方向（左向き）に４５°程度回動させられた状態に位置させられている。これにより、開口部１２の開放端側（光ディスク１０の外縁部側に対するディスクアクセスを可能とする部位）がディスクトレイ５の底板４１によって閉塞されている（以下、開口部１２の開放端側を閉塞する位置を「閉塞位置」ともいう）。なお、同図および図１４，１５では、本発明の理解を容易とするために光ディスク１０および上シェル３ｂの図示を省略する。また、シャッタ部材４は、その孔３４が光ディスク１０の中心孔１０ａと重なり合う位置に位置させられている。したがって、開口部１２におけるカートリッジ本体２の中心部側の端部がシャッタ本体３１によって閉塞されている（以下、開口部１２における中心部側の端部を閉塞する位置を「閉塞位置」ともいう）。このように、このディスクカートリッジ１では、常態において、開口部１２がディスクトレイ５の底板４１とシャッタ部材４のシャッタ本体３１とによって閉塞されている。
【００２２】
また、このディスクカートリッジ１では、常態において、保持片７と、シャッタ部材４の保持部３５とがディスクトレイ５の切り欠き４３ａ，４３ｂ内にそれぞれ進入して、保持片７および保持部３５が、光ディスク１０を挟持するようにして保持している。したがって、カートリッジ本体２内での光ディスク１０のがたつきが回避されている。また、カートリッジ本体２内に収容された光ディスク１０は、図１に示すように、上シェル３ｂの上動規制部２４と上動規制板６とによって上方への離脱が規制されている。
【００２３】
一方、ディスクカートリッジ１を記録再生装置に装填した際には、ディスクカートリッジ１が記録再生装置によって装置内部に引き込まれる。この際には、記録再生装置のシャッタ開閉手段によってディスクトレイ５が回動させられ、これにより、シャッタ部材４がスライドさせられて開口部１２が開口される。具体的には、ディスクカートリッジ１を図１３に示す矢印Ｉ１の向きで記録再生装置に装填した際には、記録再生装置のシャッタ開閉手段がディスクカートリッジ１に対して矢印Ｉ２の向きで相対的に移動させられる。この際に、シャッタ開閉手段が回動規制部材８の当接部６７に当接することにより、当接部６７が柱状部６５を中心として矢印Ｊ１の向きで移動（回動）させられる。これに伴い、爪部６６が矢印Ｊ２の向きで移動（回動）させられる結果、ディスクトレイ５の噛合用凹部４４ｂと爪部６６との係合が解除されてディスクトレイ５の回動が許容される。次に、ディスクカートリッジ１が矢印Ｉ１の向きでさらに引き込まれた場合、シャッタ開閉手段がディスクトレイ５の噛合用凸部４５，４５・・に噛合する。次いで、ディスクカートリッジ１がさらに引き込まれた際には、ディスクトレイ５が矢印Ｈ１の向きで回動させられる。
【００２４】
この際には、ディスクトレイ５が開口位置に向けて回動させられて、図１４に示すように、下シェル３ａの開口部１２とディスクトレイ５の開口部４２とがディスクカートリッジ１の厚み方向において重ね合わされる。この結果、底板４１によって閉塞されていた開口部１２の開放端側が開口される。また、ディスクトレイ５の回動に伴って保持片７の主板６１に側壁４３が当接する結果、保持片７が柱状部６２を中心として図１３に示す矢印Ｌ１の向きに回動させられて、図１４に示すように、保持片７による光ディスク１０の保持が解除される。さらに、ディスクトレイ５が回動させられた際には、ディスクトレイ５の凸部４６がシャッタ部材４のスリット３３内を図１３に示す矢印Ｋ１の向きにスライドさせられた後に矢印Ｋ２の向きにスライドさせられる。これに伴い、シャッタ部材４は、下シェル３ａに対して凸部１４を中心とする円弧状の軌跡で矢印Ｆ１の向きにスライドさせられる。この結果、図１４に示すように、シャッタ部材４が下シェル３ａの開口部１２上から待避させられて（以下、この位置を「開口位置」ともいう）、シャッタ本体３１によって閉塞されていた開口部１２の中心部側端部が開口される。また、シャッタ部材４のスライドに伴って保持部３５が光ディスク１０の外縁部から離間させられる結果（当接の解除）、保持部３５による光ディスク１０の保持が解除される。これにより、開口部１２の開口および光ディスク１０の保持の解除が完了し、カートリッジ本体２の外部からの光ディスク１０に対するディスクアクセスが可能な状態となる。この後、記録再生装置によって中心孔１０ａの口縁部がチャッキングされた光ディスク１０に対して、開口部１２，４２を介してのレーザービームの照射（記録データの記録または再生）が実行される。
【００２５】
一方、記録データの記録再生を完了したディスクカートリッジ１を記録再生装置から取り出す際には、記録再生装置のシャッタ開閉手段によってディスクトレイ５が回動させられ、これにより、シャッタ部材４がスライドさせられて開口部１２が閉塞される。具体的には、ディスクカートリッジ１が記録再生装置によって図１４に示す矢印Ｏ１の向きで排出される際に、記録再生装置のシャッタ開閉手段がディスクカートリッジ１に対して矢印Ｏ２の向きで相対的に移動させられる。この際には、ディスクトレイ５が閉塞位置に向けて矢印Ｈ２の向きで回動させられて、図１３に示すように、下シェル３ａにおける開口部１２の開放端側がディスクトレイ５の底板４１によって閉塞される。また、ディスクトレイ５の回動に伴って保持片７が側壁４３の切り欠き４３ａ内に進入して、保持板６３が光ディスク１０の外縁部に当接する結果、保持片７によって光ディスク１０が保持される。
【００２６】
さらに、ディスクトレイ５の回動に伴って、ディスクトレイ５の凸部４６がシャッタ部材４のスリット３３内を図１４に示す矢印Ｋ１の向きにスライドさせられた後に矢印Ｋ２の向きにスライドさせられる。これに伴い、シャッタ部材４は、下シェル３ａに対して凸部１４を中心とする円弧状の軌跡で閉塞位置に向けて矢印Ｆ２の向きでスライドさせられる。この結果、図１３に示すように、開口部１２の中心部側端部がシャッタ部材４のシャッタ本体３１によって開口される。また、シャッタ部材４のスライドに伴って保持部３５がディスクトレイ５の切り欠き４３ｂ内に進入させられて光ディスク１０の外縁部に当接させられる。この結果、保持部３５によって光ディスク１０が保持される。また、ディスクトレイ５が閉塞位置まで回動させられた際には、図１３に示すように、回動規制部材８の爪部６６がディスクトレイ５の噛合用凹部４４ｂに係合する結果、ディスクトレイ５の回動が規制される。これにより、開口部１２の閉塞および光ディスク１０の保持が完了する。
【００２７】
一方、このディスクカートリッジ１では、カートリッジ本体２内に収容されている光ディスク１０をカートリッジ本体２外に取り出して、例えば、汎用のディスクドライブによって記録データを再生（または記録）したり、ブランクディスク（未記録の光ディスク１０）をカートリッジ本体２内に収容して、その状態でブランクディスクに対する記録データの記録再生を実行することも可能となっている。具体的には、図１５に示すように、まず、矢印Ｇ１の向きで上動規制板６をカートリッジ本体２に対してスライドさせる。これにより、上動規制板６による光ディスク１０に対する上動規制が解除される。次に、光ディスク１０の中心孔１０ａに例えば人差し指を差し込んで光ディスク１０をカートリッジ本体２から持ち上げる。この際に、図２に示すように、シャッタ部材４の孔３４を光ディスク１０の中心孔１０ａよりも大径に形成しているため、人差し指が中心孔１０ａに奥深くまで差し込まれる。次に、上動規制板６によって上動を規制されていた側の端部を持ち上げるようにして、光ディスク１０をカートリッジ本体２から取り出す。この後、取り出した光ディスク１０をディスクドライブにセットして記録データの再生等を実行する。
【００２８】
また、ブランクディスクをカートリッジ本体２内に収容する際には、ブランクディスクの中心孔１０ａに人差し指を差し込んだ状態で、その一端部をディスクトレイ５の底板４１と上シェル３ｂの上動規制部２４との間に差し込むようにしてカートリッジ本体２内に収容する。次に、上動規制板６を図１５に示す矢印Ｇ２の向きでスライドさせる。この際には、上動規制板６の先端部がブランクディスクの上方に突出する結果、上シェル３ｂの上動規制部２４と上動規制板６とによってブランクディスクの上動が規制される。この後、前述したようにして、このディスクカートリッジ１を記録再生装置に装填することにより、ブランクディスクに対する記録データの記録または再生が実行される。
【００２９】
このように、このディスクカートリッジ１によれば、ディスクトレイ５によって開口部１２の一部（開放端側）を閉塞すると共に、単一のシャッタ部材４によって開口部１２の他の一部（中心部側）を閉塞する構成を採用したことにより、開口部１２の開口または閉塞動作時に稼働する部品点数が減少する結果、小さな力でシャッタ部材４をスムーズに開閉動作させることができる。また、従来のディスクカートリッジとは異なり、単一のシャッタ部材４で開口部１２を開閉する機構を採用したことにより、ディスクカートリッジ１を容易に組み立てることができる結果、製造コストを十分に低減することができる。
【００３０】
また、このディスクカートリッジ１によれば、回動可能にシャッタ部材４の一端部を下シェル３ａに対して軸支させると共にスリット３３に凸部４６を挿入させた状態において、ディスクトレイ５が回動させられた際にシャッタ部材４をその一端部を中心とする円弧状の軌跡で移動させることにより、下シェル３ａ、シャッタ部材４およびディスクトレイ５間の接触部位が減少する結果、開口部１２の開口または閉塞動作時における摺動抵抗を十分に軽減することができる。これにより、小さな力でシャッタ部材４をスムーズに開閉動作させることができる。加えて、比較的簡易に構成できるため、ディスクカートリッジ１を容易に組み立てることができる結果、製造コストを十分に低減することができる。
【００３１】
さらに、このディスクカートリッジ１によれば、閉塞位置において光ディスク１０の外縁部に当接すると共に、開口位置において光ディスク１０に対する当接を解除する保持部３５をシャッタ部材４に形成したことにより、カートリッジ本体２内における光ディスク１０のがたつきを回避することができる結果、光ディスク１０の傷付きを防止することができる。また、光ディスク１０を保持する専用部品を配設した構成では、その専用部品の組み付けに起因して製造コストの高騰を招くおそれがあるのに対して、このディスクカートリッジ１によれば、シャッタ部材４に形成した保持部３５によって光ディスク１０を保持可能な構成を採用したことにより、ディスクカートリッジ１の製造コスト高騰を回避することができる。さらに、シャッタ部材４を閉塞位置にスライドさせるだけで光ディスク１０が保持され、シャッタ部材４を開口位置にスライドさせるだけで光ディスク１０の保持が解除されるため、シャッタ部材４とは別個に専用部品を配設してディスクトレイ５の回動に伴って専用部品をスライドさせる構成と比較して、ディスクトレイ５の回動に要する力を十分に小さくすることができる。
【００３２】
また、このディスクカートリッジ１によれば、閉塞位置において光ディスク１０の中心孔１０ａに対向する部位に中心孔１０ａよりも大径の孔３４を形成したシャッタ部材４を備えたことにより、光ディスク１０の脱着に際して中心孔１０ａに人差し指などを奥深くまで差し入れて確実に摘み上げることができる。このため、脱着時に光ディスク１０を誤って落下させてしまう事故などを回避することができる。
【００３３】
なお、本発明は、上記した実施の形態に限定されない。例えば、本発明の実施の形態では、追記型の光ディスク１０をカートリッジ本体２内に収容したディスクカートリッジ１を例に挙げて説明したが、本発明におけるディスク状記録媒体はこれに限定されず、再生専用タイプの光ディスクや、書き換え可能型の光ディスクなどの各種の光ディスクを収容してディスクカートリッジを構成することができる。また、本発明におけるディスク状記録媒体には、光ディスクのみならず、光磁気ディスクや磁気ディスクが含まれる。さらに、本発明の実施の形態では、上シェル３ｂに開口部２２を形成することによってカートリッジ本体２から光ディスク１０を取り出し可能に構成した例について説明したが、本発明におけるディスクカートリッジの構成はこれに限定されず、上シェル３ｂの天板２１ａを平板状に形成して光ディスク１０を取り出し不能に構成することもできる。この構成を採用した場合、シャッタ部材４の孔３４や上動規制板６が不要となる。
【００３４】
また、本発明の実施の形態では、下シェル３ａの凸部１４をシャッタ部材４の孔３２に挿通させることによってシャッタ部材４を下シェル３ａに対して回動可能に軸支させる構成を例に挙げて説明したが、本発明はこれに限定されず、下シェル３ａに形成した凹部にシャッタ部材４に形成した円柱状の凸部を挿入することによって下シェル３ａにシャッタ部材４を回動可能に軸支させる構成を採用することができる。さらに、下シェル３ａおよびシャッタ部材４とは別体に形成したピン部材によって下シェル３ａに対してシャッタ部材４を回動可能に軸支させる構成を採用することができる。また、本発明の実施の形態では、シャッタ部材４にスリット３３（案内溝）を設けると共にディスクトレイ５に凸部４６（ピン部材）を形成した構成を例に挙げて説明したが、本発明はこれに限定されず、シャッタ部材４にピン部材を形成すると共にディスクトレイ５に案内溝を形成してディスクトレイ５の回動時にシャッタ部材４をスライドさせる構成を採用することもできる。
【００３５】
【発明の効果】
以上のように、本発明に係るディスクカートリッジによれば、ディスクトレイによって第１開口部の一部を閉塞すると共に、単一のシャッタ部材によって第１開口部の他の一部を閉塞する構成を採用したことにより、第１開口部の開口または閉塞動作時に稼働する部品点数が減少する結果、小さな力でシャッタ部材をスムーズに開閉動作させることができる。また、従来のディスクカートリッジとは異なり、単一のシャッタ部材で第１開口部を開閉する機構を採用したことにより、ディスクカートリッジを容易に組み立てることができる結果、製造コストを十分に低減することができる。
【００３６】
また、本発明に係るディスクカートリッジによれば、回動可能にシャッタ部材の一端部を下シェルに対して軸支させると共に案内溝にピン部材を挿入させた状態において、ディスクトレイが回動させられた際にシャッタ部材をその一端部を中心とする円弧状の軌跡で移動させることにより、下シェル、シャッタ部材およびディスクトレイ間の接触部位が減少する結果、第１開口部の開口または閉塞動作時における摺動抵抗を十分に軽減することができる。これにより、小さな力でシャッタ部材をスムーズに開閉動作させることができる。加えて、比較的簡易に構成できるため、ディスクカートリッジを容易に組み立てることができる結果、製造コストを十分に低減することができる。
【００３７】
さらに、本発明に係るディスクカートリッジによれば、閉塞位置においてディスク状記録媒体の外縁部に当接すると共に、開口位置においてディスク状記録媒体に対する当接を解除するディスク保持部をシャッタ部材に形成したことにより、カートリッジ本体内におけるディスク状記録媒体のがたつきを回避することができる結果、ディスク状記録媒体の傷付きを防止することができる。また、ディスク状記録媒体を保持する専用部品を配設した構成では、その専用部品の組み付けに起因して製造コストの高騰を招くおそれがあるのに対して、このディスクカートリッジによれば、シャッタ部材に形成したディスク保持部によってディスク状記録媒体を保持可能な構成を採用したことにより、ディスクカートリッジの製造コスト高騰を回避することができる。さらに、シャッタ部材を閉塞位置にスライドさせるだけでディスク状記録媒体が保持され、シャッタ部材を開口位置にスライドさせるだけでディスク状記録媒体の保持が解除されるため、シャッタ部材とは別個に専用部品を配設してディスクトレイの回動に伴って専用部品をスライドさせる構成と比較して、ディスクトレイの回動に要する力を十分に小さくすることができる。
【００３８】
また、本発明に係るディスクカートリッジによれば、閉塞位置においてディスク状記録媒体の中心孔に対向する部位に中心孔よりも大径の孔を形成したシャッタ部材を備えたことにより、ディスク状記録媒体の脱着に際して中心孔に人差し指などを奥深くまで差し入れて確実に摘み上げることができる。このため、脱着時にディスク状記録媒体を誤って落下させてしまう事故などを回避することができる。
【図面の簡単な説明】
【図１】本発明の実施の形態に係るディスクカートリッジ１の平面図である。
【図２】図１におけるＡ−Ａ線断面図である。
【図３】カートリッジ本体２における下シェル３ａの平面図である。
【図４】図３におけるＢ−Ｂ線断面図である。
【図５】カートリッジ本体２における上シェル３ｂの平面図である。
【図６】図５におけるＣ−Ｃ線断面図である。
【図７】シャッタ部材４の平面図である。
【図８】図７におけるＤ−Ｄ線断面図である。
【図９】ディスクトレイ５の平面図である。
【図１０】図９におけるＥ−Ｅ線断面図である。
【図１１】上動規制板６、保持片７、回動規制部材８、誤消去防止部材９およびスプリングＳ１，Ｓ２の平面図である。
【図１２】上動規制板６の側面図である。
【図１３】下シェル３ａの開口部１２がディスクトレイ５およびシャッタ部材４によって閉塞された状態の平面図である。
【図１４】下シェル３ａの開口部１２が開口された状態の平面図である。
【図１５】カートリッジ本体２に対して上動規制板６をスライドさせた状態の平面図である。
【符号の説明】
１  ディスクカートリッジ
２  カートリッジ本体
３ａ  下シェル
３ｂ  上シェル
４  シャッタ部材
５  ディスクトレイ
６  上動規制板
７  保持片
８  回動規制部材
１０  光ディスク
１０ａ  中心孔
１１ａ  底板
１２，４２  開口部
１４  凸部
２１ａ  天板
２２  開口部
２３  隔壁
３１  シャッタ本体
３２  孔
３３  スリット
３４  孔
３５  保持部
４１  底板
４３  側壁
４３ａ，４３ｂ  切り欠き
４４ａ，４４ｂ  噛合用凹部
４５  噛合用凸部
４６  凸部
【図１】
2004253014.tif 000003
【図２】
2004253014.tif 000004
【図３】
2004253014.tif 000005
【図４】
2004253014.tif 000006
【図５】
2004253014.tif 000007
【図６】
2004253014.tif 000008
【図７】
2004253014.tif 000009
【図８】
2004253014.tif 000010
【図９】
2004253014.tif 000011
【図１０】
2004253014.tif 000012
【図１１】
2004253014.tif 000013
【図１２】
2004253014.tif 000014
【図１３】
2004253014.tif 000015
【図１４】
2004253014.tif 000016
【図１５】
2004253014.tif 000017